(57)【要約】【課題】従来構造のドア枠・錠前を必要最小限だけ変更するシンプルかつ安価な構成にて、バール等による不正開ドア行為を防止できる構造の提供。【解決手段】カンヌキ付き錠３をもつドアＡのフロント板４を、その室外側縁の少なくとも一部をドア枠縦杆２側へ延長して、平面図で見てほぼＬ形状または逆Ｌ形状で、閉ドア時に室外側からドア枠縦杆２内へ係合可能な掛止用部分７をもつ補強フロント板部５を形成し、該掛止用部分７にカンヌキ８が係合可能なカンヌキ掛止用孔９を設け、かつドア枠縦杆２に固着する受け座板１０の室外側の板部１１に、上記フロント板４の掛止用部分７がドア枠縦杆２内へ係合可能な１３を形成して、突出時のカンヌキ８が受け座板１０の受け孔１６を経て更に、先部寄りが該掛止用部分７の掛止用孔９に係合・掛止される構造とする。【選択図】        図６
2004270242.tif 000002
【特許請求の範囲】
【請求項１】
ドアＡに取付けるカンヌキ付き錠３のフロント板４の一部を、その室外側端縁からドア枠縦杆２側へ、平面図で見てほぼＬ形状または逆Ｌ形状に延長して、ドアＡを閉じた際に室外側からドア枠縦杆２内へ係合される掛止用部分７をもつ補強フロント板部５に形成し、該掛止用部分７にカンヌキ８が係合可能なカンヌキ掛止用孔９を形成し、
他方、ドア枠縦杆２に取り付ける受け座板１０を、平面図で見てほぼ逆Ｌ形状またはＬ形状に形成して、その片側面を室外側の板部１１としてドア枠縦杆２の室外側面へ固定すると共に、該室外側の板部１１に、上記補強フロント板部５の掛止用部分７がドア枠縦杆２内へ通過可能な縦長の孔１３を形成してなる、バール等による不正開ドア防止構造。
【請求項２】
ドアＡに取付けるカンヌキ付き錠３のフロント板４の室外側端縁を、ドア枠縦杆２側へ平面図で見てほぼＬ形状または逆Ｌ形状に延長して、錠３の近傍でドア側端部１とドア枠縦杆２との隙間ｓを覆い得るカバー板部６を形成すると共に、
該カバー板部６の内側に、平面図で見てほぼＬ形状または逆Ｌ形状で、ドアＡを閉じた際に室外側からドア枠縦杆２内へ係合される掛止用部分７をもつ補強フロント板部５を固着し、該掛止用部分７にカンヌキ８が係合可能なカンヌキ掛止用孔９を形成し、
他方、ドア枠縦杆２に取り付ける受け座板１０を、平面図で見てほぼ逆Ｌ形状またはＬ形状に形成して、その片側面を室外側の板部１１としてドア枠縦杆２の室外側面へ固定すると共に、該室外側の板部１１に、上記補強フロント板部５の掛止用部分７がドア枠縦杆２内へ通過可能な縦長の孔１３を形成してなる、バール等による不正開ドア防止構造。
【発明の詳細な説明】
【０００１】
【発明の属する技術分野】
本発明は、バールまたはそれに類似するもの（以下バール等という）で、家屋・部屋等の入口のドアを強引にコジ開けて、不正に侵入する犯行を防止する構造に関するものである。
【０００２】
【従来の技術】
近時、家屋・部屋の錠前を不正に解錠して侵入する強盗・窃盗等の犯行が急増している。そこで、いわゆるピッキング・カム送り・サムターン回し等の不正解錠行為に対応する錠前も各種のものが考案され、商品化されている。しかしそれらの不正解錠とは別に、家屋・部屋等のドアをバール等で強引にコジ開けて不正に侵入する犯行も急増している。
【０００３】
これは、例えば図１１ないし図１３で示す如く、ドア側端部１とドア枠縦杆２の隙間ｓからバール等２４の先端部を差し入れ、テコの原理で強引にコジ開けるものである。即ち、バール等２４を片方へコジることでドア枠縦杆１が曲げられ（上記図１２参照）、また他方にコジることでドア側が曲げられて（上記図１３参照）、両者間の隙間ｓが大きく拡げられる。そのため、錠のカンヌキ（デッドボルト）８がドア枠縦杆２の受け座板（ストライク）１０の受け孔１６から抜け出て、外れてしまう（上記図１１・図１３参照、なお図面符号は本願発明の図面と一致させてある）。
【０００４】
上記のようにバール等によりドアが無理やりにコジ開けられてしまうと、仮にドアにピッキング防止錠やカム送り防止錠等を設置してあっても、また錠前を二つ以上設けてあっても、殆ど防犯の役に立たないことになる。ドアが開けられる際の振動・音を、電子機器等により感知して大音響を発する装置もあるが、上記犯罪行為は夜間に短時間で行われることが多く、その部屋等や近隣の部屋等に在室している場合は別として、他人に目撃される可能性が少ないし、通報されて警察官や警備員等が駆けつけても犯行後になることが多い。
【０００５】
そこで、バールによる不正開ドア行為を防止するために、従来例えば次のようなものが提案されている。これは、実用新案登録第３０６６５３１号公報に記載のもので、ドア枠に取り付けるカンヌキ受け金具の室外側面に、例えば鋼鉄製の縦長ほぼ直方体形状の補強材を溶接等で固着し、該補強材の室外側面がドア枠の室外側面の内側にくるように嵌め入れて、受け座板を介して皿ネジで固定するようにしたものである。
【０００６】
これは、補強材で受け座板の室外側部分の強度を増すことにより、不正侵入者がドア枠縦杆とドア側端部との間にバール等の先端部を差し入れて、テコの原理でコジ開けようとしても、ドア枠側の受け座板の室外側部分およびドア枠の室外側部分が容易に変形せぬようにして、カンヌキが受け座板から離脱することを防止しようとするものである。
【０００７】
【発明が解決しようとする課題】
しかし、上記のカンヌキ受け座板の室外側面に、縦長ほぼ直方体形状の補強材を固着し、該補強材の室外側面がドア枠の室外側面の内側にくるように嵌め入れて固定したものは、次の問題点がある。
【０００８】
即ち、近時のドアは軽量化のために、表・裏面の鉄板の厚みが０．６〜０．８ｍｍ程度の薄いものになっている。そのため、上記の如く不正侵入者がドア枠縦杆とドア側端部との隙間にバール等の先端部を差し入れ、テコの原理でコジ開けようとした場合には、たとえドア枠縦杆側に充分な強度が有ったとしても、ドア側は大きな音を立てることなく簡単に、平面図で見て「へ」の字状、側面図で見て「く」の字状のように変形してしまう。
【０００９】
またドア枠側も、内部にモルタルが詰まっていない建て付けが大半であるために、やはりドア枠縦杆が比較的簡単に湾曲させられてしまうことがある。
【００１０】
したがって、ドア側端部とドア枠縦杆との隙間が大きく拡げられてしまい、ドア側の錠前のカンヌキがドア枠縦杆側の受け座板から抜け出し外れてしまう。その結果、施錠状態が解除されたのと同じことになり、押すか引くことで簡単にドアが開けられて、不正に侵入されてしまうことになる。
【００１１】
本発明は、バール等による不正開ドア防止構造に関して、上記従来のものが有する問題点の解決を課題としたものである。即ち本発明の目的は、従来の構造のドア枠・錠前などは必要最小限だけ変更するというシンプルかつ安価な構成により、特に錠前のフロント板と受け座板（ストライク）を交換するだけで、バール等による不正開ドア行為を充分に防止できる構造を提供することにある。
【００１２】
【課題を解決するための手段】
Ｉ  本発明に係るバール等による不正開ドア防止構造の第１は、
ドアＡに取付けるカンヌキ付き錠３のフロント板４の一部を、その室外側端縁からドア枠縦杆２側へ、平面図で見てほぼＬ形状または逆Ｌ形状に延長して、ドアＡを閉じた際に室外側からドア枠縦杆２内へ係合される掛止用部分７をもつ補強フロント板部５に形成し、該掛止用部分７にカンヌキ８が係合可能なカンヌキ掛止用孔９を形成し、
他方、ドア枠縦杆２に取付ける受け座板１０を、平面図で見てほぼ逆Ｌ形状またはＬ形状に形成して、その片側面を室外側の板部１１としてドア枠縦杆２の室外側面へ固定すると共に、該室外側の板部１１に、上記補強フロント板部５の掛止用部分７がドア枠縦杆２内へ通過可能な縦長の孔１３を形成したものである。
【００１３】
ＩＩ  本発明に係るバール等による不正開ドア防止構造の第２は、
ドアＡに取付けるカンヌキ付き錠３のフロント板４の室外側端縁を、ドア枠縦杆２側へ平面図で見てほぼＬ形状または逆Ｌ形状に延長して、錠３の近傍でドア側端部１とドア枠縦杆２との隙間ｓを覆い得るカバー板部６を形成すると共に、
該カバー板部６の内側に、平面図で見てほぼＬ形状または逆Ｌ形状で、ドアＡを閉じた際に室外側からドア枠縦杆２内へ係合される掛止用部分７をもつ補強フロント板部５を固着し、該掛止用部分７にカンヌキ８が係合可能なカンヌキ掛止用孔９を形成し、
他方、ドア枠縦杆２に取付ける受け座板１０を、平面図で見てほぼ逆Ｌ形状またはＬ形状に形成して、その片側面を室外側の板部１１としてドア枠縦杆２の室外側面へ固定すると共に、該室外側の板部１１に、上記補強フロント板部５の掛止用部分７がドア枠縦杆２内へ通過可能な縦長の孔１３を形成したものである。
【００１４】
【発明の実施の形態】
上記第１の発明は、主としてドアＡとしての厚みが約４０ｍｍ程度の場合に用いるのに最適な構造としたものである。ここでの補強フロント板部５は、錠３のフロント板４の室外側端縁の一部を、ドア枠縦杆２側へ平面図で見てほぼＬ形状または逆Ｌ形状に延長して補強フロント板部５としたもので、該補強フロント板部５は、ドアＡを閉じた際にドア枠縦杆２内へ室外側から係合可能な掛止用部分７を有している。
【００１５】
該掛止用部分７には、ドア枠縦杆２内でそこに突出してきたカンヌキ８の先部寄りを係合可能なカンヌキ掛止用孔９を形成してある。該掛止用部分７はフロント板４と一体物としておくのがよいが、別体を固着して一体化したものであってもよい。また充分な強度を有するように、例えばステンレス鋼製で充分な厚みを有するものとしておくのがよい。
【００１６】
上記第２の発明は、主としてドアＡとしての厚みが約３６ｍｍ程度の場合に用いるのに最適な構造としたものである。ここでの補強フロント板部５は、錠３のフロント板４の室外側端縁のほぼ全体を、ドア枠縦杆２側へ平面図で見てほぼ逆Ｌ形状またはＬ形状に延長して、錠３の位置近傍でドア側端部１とドア枠縦杆２との隙間ｓを覆い得るカバー板部６を形成し、該カバー板部６の内側に、平面図で見てほぼＬ形状または逆Ｌ形状の金属板を固着して、補強フロント板部５にしたものである。
【００１７】
該補強フロント板部５も、上記第１の発明のものと同様に、ドアＡを閉じた際に室外側からドア枠縦杆２内へ係合される掛止用部分７を有しており、該掛止用部分７には、ドア枠縦杆１内でそこへ突出してきたカンヌキ８の先部寄りを係合可能なカンヌキ掛止用孔９を形成してある。ここでも、補強フロント板部５はフロント板４やカバー板部６と同様に、充分な強度を有するように例えばステンレス鋼製で充分な厚みを有するものにしておくのがよい。
【００１８】
他方、ドア枠縦杆２に取り付ける受け座板１０は、平面図で見てほぼ逆Ｌ形状またはＬ形状で、ドア枠縦杆２の室外側面へ固定する室外側の板部１１に、上記補強フロント板部５の掛止用部分７がドア枠縦杆２内へ向けて通過可能な縦長状の孔１３を形成してある。また該受け座板１０のドア側の板部１５には、従来のものと同様に、カンヌキ８やラッチボルト１８が係合可能な受け孔１６を有している。
【００１９】
上記フロント板４のドア側端面１への取付けや、受け座板１０の室外側の板部１１の取付けは、強固に行えるなら手段を問わないが、前者４は例えば従来と同様にネジ止めで行えばよい。後者１０のドア側の板部１５は、従来と同様にドア枠縦杆２でドア側端部１との対向面に予めで形成してある切欠き部１９に、該ドア側の板部１５嵌め込んで同一面として、ドア枠縦杆２の裏面に予め固着してある取付け用板１７にネジ２８を螺装して固定すればよい（例えば図５参照）。
【００２０】
また後者１０の室外側の板部１１は、上記と同様にドア枠縦杆２の裏面に予め固着してある取付け用板２０に取付けネジ用孔２１から取付けネジ２２を螺装して固定後、十字穴をドリルで削り取っておけばよいが（例えば上記図５参照）、それに限らず、頭部に十字穴を持たぬ固体用ピン（図示略）を室外側から取付け用板２０へ通挿して内側で溶接しておいてもよい。
【００２１】
受け座板１０の室外側の板部１１を、ドア枠縦杆２の室外側面へ重ね合わせて固定するものでは、ドア枠縦杆２の室外側面にも上記補強フロント板部５の掛止用部分７がドア枠縦杆２内へ向けて通過可能な縦長状の孔１２を形成してあり、この孔１２を受け座板１０の室外側の板部１１の縦長状の孔１３と合致させて固定する（例えば図６，図８参照）。
【００２２】
また受け座板１０の室外側の板部１１を、ドア枠縦杆２の室外側面に形成した切欠き部に係合させて固定するものでは、ドア枠縦杆２の室外側面に縦長状の孔１２は上記切欠き部が兼用するので不要である（例えば図１０参照）。
【００２３】
上記第１および第２の発明で、フロント板部７、補強フロント板部５、受け座板１０等が、平面図で見てほぼＬ形状とか逆Ｌ形状と表現したが、これはドアＡが左開きか右開きかによって逆になることは言うまでもない。また第１の発明では、補強用フロント板部５にカバー板部が無いから、室外側から補強フロント板部５、受け座板１０の一部が露出する。そのため、ドアＡの室外側面を同一面でドア側端縁からドア枠縦杆２側へ延長して、カバー板部１４を形成しておくことが望ましい。
【００２４】
図において、７ａは掛止用部分７の基部寄り部分、７ｂは掛止用部分７のドア寄り側面、１１ａは受け座板１０の室外側の板部１１の基部寄り部分、１３ａは室外側の板部１１に形成した孔１３のドア寄り内端面、２４はバール等、２６サムターンを示す。
【００２５】
上記本発明に係るバール等による不正開ドア防止構造の使用状態は、次のようになる。
まずドアＡを閉めれば、従来のものと同様にドアＡはドア枠Ｂの内側へ入り込み、ラッチボルト１８はドア枠縦杆２の受け座板１０の受け孔１６の一部に係合する。この際、ドア枠縦杆２とドア側端部１との間に隙間ｓが生じている。
【００２６】
それと同時に、本発明の第１のものでは、それまでの例えば図３で示したような状態から図４で示した如く、錠３のフロント板４から延びた補強フロント板部５の掛止用部分７が、室外側から受け座板１０の室外側の板部１１の孔１３、ドア枠縦杆２の室外側面の孔１２を経て、ドア枠縦杆２内に係合される（例えば図６も参照）。
【００２７】
本発明の第２のものでは、それまでの例えば図９で示したような状態から、錠３のフロント板４から延びたカバー板部６が錠３の近傍を室外側からカバーすると共に、該カバー板部６内側に固着した補強フロント板部５の掛止用部分７が、上記第１のものと同様に、室外側から受け座板１０の室外側の板部１１の孔１３を経て、ドア枠縦杆２内に係合される（例えば図１０参照）。
【００２８】
上記の状態で、錠３を室外側からキーを操作し、また室内側からサムターン２６を操作すると、フロント板から突出したカンヌキ８が、従来と同様にドア枠縦杆２の受け座板１０の受け孔１６に係合して施錠される。その際に本発明の上記第１および第２のいずれのものも、カンヌキ８の先部寄りが更に、ドア枠縦杆２内に係合している補強フロント板部５の掛止用部分７のカンヌキ掛止用孔９へも係合して掛止される（例えば上記図６参照，なお図８，図９参照）。
【００２９】
上記のように閉じられ施錠されているドアＡが、バール等２４を用いて室外側から不正にコジ開けられようとした場合は、次のようになる。
【００３０】
不正に室外側からバール等２４でドアＡを開けようとする者は、ドア側端部１とドア枠縦杆２との隙間ｓにバール等２４の先端部を差し込んでコジ開ける。従来のドアやドア枠では容易に変形してしまい、ドア側端部１とドア枠縦杆２との隙間ｓが拡がるので、カンヌキ８が受け座部１０の受け孔１６から抜け出してしまい（上記図１１ないし図１３参照）、ドアが開けられてしまった。
【００３１】
しかし本発明の上記第１および第２のいずれのものも、上記の如く、錠３のフロント板４から延びた補強フロント板部５の掛止用部分７が、受け座板１０の室外側の板部１１の孔１３等を経てドア枠縦杆２内へ係合し、ドアＡ側から突出して受け座板１０の受け孔１６に係合したカンヌキ８の先部寄りが、更に該掛止用部分７の掛止用孔９に係合・掛止されている。
【００３２】
即ち、ドアＡ側のカンヌキ８は、ドア枠Ｂ側で受け座板１０の受け孔１６と補強フロント板部５の掛止用部分７の掛止用孔９とにより二重に掛止された状態になっている。換言すれば、ドアＡ側のカンヌキ８と補強フロント板部５の掛止用部分７と、ドア枠Ｂ側の受け座板１０とは互いに係合・掛止状態にある（例えば上記図４，図６等参照）。
【００３３】
そのため、まず第１に、バール等２４の先端部を差し入れて左右に動かし、ドア枠縦杆２とドア側端部１の隙間ｓを拡げようと力を加えても、その際にドア枠縦杆２側の受け座板１０と、該受け座板１０の受け孔１６内に係合した補強フロント板部５の掛止用部分７が互いに動ける範囲は、最大でも受け座板１０に形成した孔１３の横幅の範囲内である。即ち、両者１０，７のそれ以上の動きは、掛止用部分７のドア寄り側面７ｂが孔１３のドア寄り内端面１３ａに当たることで阻止され（例えば上記図８，図１０参照）、それ以上に動くことは無い。
【００３４】
ドア側端部１とドア枠縦杆２とが、それ以上に離れることが無いから、ドアＡやドア枠Ｂもくの字状や逆くの字状に湾曲変形する余地が無く、両者Ａ，Ｂ者間での隙間ｓもそれ以上に拡がらない。その結果、カンヌキ８が補強フロント板部５の掛止用部分７や受け座板１０から離脱することは無く、バール等２４で不正にドアＡを開けることが防止される（例えば上記図８，図１０参照）。
【００３５】
第２に、上記補強フロント板部５の掛止用部分７が、受け座板１０の室外側の板部１１の孔１３内で係合している位置は、補強用フロント板部７の平面図で見てほぼＬ形状または逆Ｌ形状に屈曲した基部寄り部分７ａと、受け座板１０の室外側の板部１１の平面図で見てほぼ逆Ｌ形状またはＬ形状に屈曲した基部寄り部分１１ａとである。
【００３６】
上記屈曲した両基部寄り部分７ａ，１１ａはいずれも、外力による曲げに対して強度が大きいから、掛止用部分７の先端寄りに外力が加わる場合と異なって、該掛止用部分７がカンヌキ８の先端から抜ける方向（例えば図８，図１０で左方向）へ曲がってしまうようなことは無い。しかも該掛止用部分７の掛止用孔９には、カンヌキ８の先部寄りが係合しており互いに掛止状態にあるから、該掛止用部分７が曲がろうとすれば、掛止用孔９の内面がカンヌキ８の外面に当接して掛止されて、この点からも該掛止用部分７がバール等２４による外力で曲がってしまうことが阻止されている。
【００３７】
したがって、ドアＡ側の補強フロント板部５の掛止用部分７と、ドア枠Ｂ側のの受け座板１０のドア側の板部１５と、そしてカンヌキ８とは連結一体化した状態が維持されたままである。その結果、バール等２４でドアＡをコジ開けようとしてもその隙間ｓが拡がらず、カンヌキ８が補強フロント板部５の掛止用部分７や受け座板１０から離脱しないから、不正にドアＡを開けられることが防止される。
【００３８】
なお、ドア枠縦杆２内に係合している掛止用部分７の先端部に、バール等２４の力を及ぼすことは不可能であるから、該掛止用部分７が室外側から力で変形させられることはない。
【００３９】
【実施例】
図１ないし図８は、本発明に係るバール等による不正開ドア防止構造の第１のものの実施例を示すものである。
【００４０】
ここでのドアＡは、ドア厚が約４０ｍｍのもので、従来とは少し異なり、室外側面をドア枠縦杆２側へ延長してカバー板部１４を形成してある。このカバー板１４は、ドアＡの上端から下端までのもので、ここでは横幅をドア側端部１からドア枠縦杆２側へ約２５ｍｍほど突出したものにしてある。ここでのドアＡは、室外側から見て左側が外開きになるものとしてある。
【００４１】
上記ドアＡにカンヌキ付き錠３を設けてあるが、該錠３のフロント板４だけを従来と違うものに交換してある。即ち、該フロント板４は、従来と同様に取付け用板２９を介してドア側端部１に取付けネジ３０で固定されているが、その室外側端縁からドア枠縦杆２側へ平面図で見てほぼＬ形状に延長形成された補強フロント板部５を有する。該補強フロント板部５は、ドアＡを閉じた際にドア枠縦杆２内へ室外側から係合され得る掛止用部分７を有する。
【００４２】
上記フロント板４および補強フロント板部５は、ここでは厚みが約２．０ｍｍのステンレス鋼製で、カンヌキ８の縦寸法より大きい約４５ｍｍの縦寸法を有しており、ドア枠縦杆２側へ約１５ｍｍほど延びてから直角に屈曲して、ドアＡを閉じた際にドア枠縦杆２内ヘ約３０ｍｍが係合され得る掛止用部分７を有する。該掛止用部分７にはカンヌキ掛止用孔９を形成してあり、受け座板１０の受け孔１６を経て突出してきたカンヌキ８の先部寄りが係合可能となっている。
【００４３】
ドア枠Ｂは、予めドア枠縦杆２の室外側面に、上記ドアＡのカバー板部１４が係合可能な縦凹条を形成しておくと共に、その室外側面にはドアＡを閉じた際の上記補強フロント板部５の掛止用部分７がドア枠縦杆２内へ通過可能に、ここでは横幅約１１ｍｍ、縦幅約６０ｍｍの縦長の孔１２を形成してある。
【００４４】
ドア枠縦杆２に取り付ける受け座板１０は、平面図で見て逆Ｌ形状で、ここでは厚さ約３．０ｍｍのステンレス鋼製で、縦寸法が約１１０ｍｍとして、上記縦凹条の室外側面へ固定する室外側の板部１１の横幅を約２４ｍｍとしてある。そして該室外側の板部１１に、上記ドア枠縦杆２に形成した通孔１２に対応して、ドアＡを閉じた際の上記補強フロント板部５の掛止用部分７がドア枠縦杆２内へ通過可能に、同じく横幅が約１０ｍｍ、縦寸法が約６０ｍｍの縦長の孔１３を形成してある。
【００４５】
また該受け座板１０のドア側の板部１５は、横幅を約３０ｍｍとして、突出時のカンヌキ８やラッチボルト１８が係合可能に、縦寸法が約７０ｍｍ、横幅が約１８ｍｍの受け孔１６を形成してある。
【００４６】
該受け座板１０をドア枠縦杆２へ固定するには、まずドア側の板部１５は、ドア枠縦杆２のドア側端面１へ対向する面に予め形成してある切欠き部１９に嵌め込み、両者２，１０を同一面にした状態で、ここでは従来と同様に、ドア枠縦杆２の内側に予め溶接してある厚さ約４．５ｍｍの取付け用板１７の雌ネジ孔に、ドア側の板部１５の上・下部寄りから各々取付けジ２８を螺装するようにしてある。
【００４７】
また室外側の板部１１の取付けは、該板部１１をドア枠縦杆２の室外側面に当接させ、ここではドア枠縦杆２の室外側面の内側に予め溶接してある厚さ約４．５ｍｍの取付け用板２０の雌ネジ孔に、室外側の板部１１の上・下部寄りから各々取付けネジ２２を螺装するようにしてある。この取付けネジ２２の代わりに、頭部が平坦な固定用ピンをドア枠縦杆２に通挿して、ドア枠縦杆２の内側で溶接固着してもよい。
【００４８】
次に、図９ないし図１０は、本発明に係るバール等による不正開ドア防止構造の第２のものの実施例を示すものである。
【００４９】
まずここでのドアＡは、ドア厚が約３６ｍｍのもので、従来一般のものとほぼ同じ形状をしており、上記第１のもののようなドアＡの室外側面を延長したカバー板部１４は設けてない。
【００５０】
該ドアＡに設けるカンヌキ付き錠３も、フロント板４は従来と異なり、カバー板部６と補強フロント板部５を有するものにしてある。即ち、ここでのフロント板４は、室外側端縁の高さ寸法、ここでは約１８０ｍｍの縦幅で、ドア枠縦杆２側へ約３１ｍｍほど延長して、錠３の位置近傍でドア側端部１とドア枠縦杆２との隙間ｓや、受け座板１０を室外側から覆い得るカバー板部６を形成してある。そして該カバー板部６の裏側に、平面図で見てほぼＬ形状の金属板を溶接で固着して補強フロント板部５を形成してある。
【００５１】
該補強フロント板部５は、カンヌキ８の縦寸法より大きい約４５ｍｍの縦寸法を有し、フロント板４の室外側端縁からドア枠縦杆２側へ約１５ｍｍの位置で、上記第１のものと同様に、ドア枠縦杆２の受け座板１０の縦長の孔１３からドア枠縦杆２内へ係合可能にＬ形状に屈曲して、ドア枠縦杆２内ヘ約３０ｍｍだけ係合され得る掛止用部分７を有している。また該掛止用部分７には、ドア枠縦杆２内へ突出してきたカンヌキ８の先部寄りを係合可能なカンヌキ掛止用孔９を形成してある。
【００５２】
上記フロント板４、カバー板部６および補強フロント板部５は、充分な強度を有するように、ここでも厚みが約２．０ｍｍのステンレス鋼製としてある。
【００５３】
ドア枠Ｂは従来のものと殆ど同じ構造のもので、ドア枠縦杆２でドア側端部１との対向面に、受け座板１０のドア側の板部１５を嵌め込み可能な大きさの切欠き部１９を形成してあるが、それに加えて該ドア枠縦杆２の室外側面にも、受け座板１０の室外側の板部１１を嵌め込み可能な大きさの切欠き部３１を形成してある。
【００５４】
該ドア枠Ｂのドア枠縦杆２に固着する受け座板１０は、平面図で見てほぼ逆Ｌ形状をしたもので、ここでは厚さ約３．０ｍｍのステンレス鋼製で、縦幅が約１１０ｍｍ、ドア側の板部１５の横幅を約３０ｍｍとして、カンヌキ８およびラッチボルト１８が係合可能に、縦寸法が約７０ｍｍ、横幅が約１８ｍｍの受け孔１６を形成してある。
【００５５】
また該受け座板１０の室外側の板部１１は、ここでは横幅を約２０ｍｍとしてあり、上記フロント板部５の掛止用部分７がドア枠縦杆２内へ通過可能な縦長状の孔１３を形成してある。
【００５６】
そして、該受け座板１０のドア枠縦杆２への固定は、ドア側の板部１５は、ここでは上記第１のものと同様に従来の方法により、ドア枠縦杆２の内側に予め溶接してある厚さ約４．５ｍｍの取付け用板１７の雌ネジ孔に、ドア側の板部１５の上・下部寄りから各々取付けジ２８を螺装するようにしてある。
【００５７】
また室外側の板部１１の取付けは、該板部１１をドア枠縦杆２の室外側面に形成した切欠き部３１に嵌め込み、室外側面の内側に予め溶接してある厚さ約４．５ｍｍの取付け用板２０の雌ネジ孔に、室外側の板部１１の上・下部寄りから各々取付けネジ２２を螺装するようにしてある。該取付けネジ２２の頭部の十字孔は取付け後にドリルで削っておく。この取付けネジ２２の代わりに、頭部が平坦な固定用ピンをドア枠縦杆２に通挿して、ドア枠縦杆２の内側で溶接固着してもよいことは、上記と同様である。
【００５８】
なおここでは、上記第１の発明の実施例のようなドア枠縦杆２の室外側に形成する縦長状の孔１２は、上記切欠き部３１を形成してあることで不要となっている。
【００５９】
図で、２３は密封用パッキン、２５はモルタルカバー、２６サムターン、２７はレバーハンドルを示す。なお、上記で示した各部の材質・各寸法等は、一般的なものの例示であり、これに限るものではないことは勿論である。
【００６０】
上記構成のバール等による不正開ドア防止構造の使用状態は、上記発明の実施の形態の項で述べたことで明らかであるから、重複を避けるためここでは省略するが、上記実施例の寸法のものでは、受け座板１０の室外側の板部１１の孔１３内で、補強フロント板部５の掛止用部分７が移動可能な範囲は僅かに２〜３ｍｍであり、バール等２４でコジ開けようとしても、ドア側端部１とドア枠縦杆２との隙間ｓの拡がりもその範囲内でしか生じず、ドアＡやドア枠Ｂの変形も殆ど生じることがなかった。
【００６１】
【発明の効果】
以上で明らかな如く、本発明に係るバール等による不正開ドア防止構造によれば、従来の構造のドア・ドア枠・錠前を必要最小限だけ変更するシンプルかつ安価な構成ながら、バール等により不正にドアを開ける行為を確実に防止することができる。
【００６２】
即ち、近時はピッキング、カム送り、サムサーン送り等の不正解錠行為の他、ドアをバール等で強引にコジ開けて不正に侵入する犯行も急増している。特に後者の場合は、ドアにピッキング防止錠等や錠前が２つ以上設けてあっても役に立たない。そこで従来も、ドア枠縦杆の受け座板の室外側部分に補強材を設けて容易に変形しないように強度を増したものがあった。しかし近時のドアは、軽量化のために表・裏面の鉄板が薄くなっているので、仮にドア枠の受け座板に強度が有ったとしてもドア側が簡単に変形してしまい、ドアがドア枠縦杆から離れて隙間が拡がり、カンヌキが受け座板から抜け出て、不正に開ドアされてしまう。
【００６３】
これに対して本発明に係るバール等による不正開ドア防止構造は、上記第１および第２のいずれのものも、錠のフロント板から延びた平面図で見てほぼＬ形状または逆Ｌ形状の補強フロント板部の掛止用部分が、室外側からドア枠縦杆の受け座板の孔を経てドア枠縦杆内へ係合し、かつドア側から突出したカンヌキが、受け座板の受け孔を経てさらに先部寄りを該掛止用部分の掛止用孔に掛止される構造としてある。
【００６４】
これにより、ドア側のカンヌキが、ドア枠側で受け座板と補強フロント板部の掛止用部分とで二重に掛止されており、カンヌキと補強フロント板部の掛止用部分と、受け座板とが互いに係合・掛止状態にある。
【００６５】
そのため、第１に、バール等の先端部をドア枠縦杆とドア側端部の隙間に差し入れて拡げようしても、ドア側の補強フロント板部の掛止用部分とドア枠側の受け座板が互いに係合・掛止状態にあるから、両者が動ける範囲は掛止用部分が係合している受け座板の孔の横幅の隙間の僅かな範囲内でしかない。それ以上に動かそうとしても、掛止用部分のドア寄り側面が孔のドア側内端面に当たることで阻止されるから、それ以上に動くことは無い。
【００６６】
したがって、ドア側端部とドア枠縦杆とは、それ以上に離れることが無くなっており、ドアやドア枠がくの字状や逆くの字状に湾曲変形する余地も無いから、両者間の隙間はそれ以上に拡がらない。その結果、カンヌキは補強フロント板部の掛止用部分や受け座板の孔から離脱しないので、不正にドアを開けられることが防止できる。
【００６７】
第２に、上記補強フロント板部の掛止用部分が受け座板の室外側の板部の孔に係合しているのは、掛止用部分の内の平面図で見てほぼＬ形状または逆Ｌ形状に屈曲した基部寄り部分であり、また該孔は受け座板の室外側の板部の平面図で見てほぼ逆Ｌ形状またはＬ形状に屈曲した基部寄り部分に近い位置である。
【００６８】
上記屈曲した両基部寄り部分はいずれも外力による曲げに対して強度が大きいから、掛止用部分の先端寄りに外力が加わる場合と異なり、バール等による力が加わっても該掛止用部分がカンヌキから外れる方向へ変形してしまうようなことは無い。しかも該掛止用部分の掛止用孔にカンヌキの先部寄りが係合して、互いに掛止状態にあるから、この点からも該掛止用部分が変形してしまうようなことは無い。
【００６９】
したがって、ドア側の補強フロント板部の掛止用部分と、ドア枠側の受け座板のドア側の板部と、カンヌキとは互いに連結一体化した状態が維持されたままであり、ドアとドア枠との隙間は拡がらない。その結果、バール等でコジ開けようとしても、カンヌキが補強フロント板部の掛止用部分や受け座板の孔から離脱しないので、不正にドアを開けることが防止できる。
【００７０】
【図面の簡単な説明】
【図１】本発明に係るバール等による不正開ドア防止構造の第１のものの実施例で、ドア側の要部を示す斜視図である。
【図２】本発明に係るバール等による不正開ドア防止構造の第１のものの実施例で、ドア枠側の要部を示す斜視図である。
【図３】図１と図２で示した実施例の要部で、ドアがドア枠内へ閉じられる直前の状態を示す斜視図である。
【図４】図１と図２で示した実施例の要部で、ドアがドア枠内へ閉じられた状態を示す斜視図である。
【図５】図１と図２に示した実施例で、ドアが閉じられ施錠された状態を示す室外側から見た一部切欠き正面図である。
【図６】図５で示した状態の一部切欠き平面図である。
【図７】図６で示したもので、バール等をドアとドア枠の隙間に差し入れようとして、カバー板部をめくった際の一部切欠き平面図である。
【図８】図６で示したもので、バール等でドアとドア枠の隙間を拡げようとしても拡がらない状態を示す一部切欠き平面図である。
【図９】本発明に係るバール等による不正開ドア防止構造の第２のものの実施例の要部で、ドアがドア枠内へ閉じられる直前の状態を示す斜視図である。
【図１０】図９で示したもので、バール等でドアとドア枠の隙間を拡げようとしても拡がらない状態を示す一部切欠き平面図である。
【図１１】従来構造のドアとドア枠がバール等で隙間を拡げられて、カンヌキが受け座板から外れた状態を示す室外側からの正面図である。
【図１２】従来構造のドアとドア枠で、バール等でコジられてドア枠側が動き隙間が拡げられた状態を示す一部切欠き平面図である。
【図１３】図１２で示した状態から、さらにバール等でコジられてドア側が動いて隙間が拡げられた状態を示す一部切欠き平面図である。
【符号の説明】
Ａ−ドア
Ｂ−ドア枠
ｓ−隙間
１−ドア側端部
２−ドア枠縦杆
３−錠
４−フロント板
５−補強フロント板部
６−カバー板部
７−掛止用部分
７ａ−基部寄り部分
７ｂ−ドア寄り側面
８−カンヌキ
９−掛止用孔
１０−受け座板
１１−室外側の板部
１１ａ−基部寄り部分
１２−孔
１３−孔
１３ａ−ドア寄り内端面
１４−カバー板部
１５−ドア側の板部
１６−受け孔
１７−取付け用板
１８−ラッチボルト
１９−切欠き部
２０−取付け用板
２１−取付け用孔
２２−取付け用ネジ
２３−密封用パッキン
２４−バール等
２５−モルタルカバー
２６−サムターン
２７−レバーハンドル
２８−取付け用ネジ
２９−取付け用板
３０−取付け用ネジ
３１−切欠き部
【図１】
2004270242.tif 000003
【図２】
2004270242.tif 000004
【図３】
2004270242.tif 000005
【図４】
2004270242.tif 000006
【図５】
2004270242.tif 000007
【図６】
2004270242.tif 000008
【図７】
2004270242.tif 000009
【図８】
2004270242.tif 000010
【図９】
2004270242.tif 000011
【図１０】
2004270242.tif 000012
【図１１】
2004270242.tif 000013
【図１２】
2004270242.tif 000014
【図１３】
2004270242.tif 000015